(57)【特許請求の範囲】
【請求項１】
複数の画像のうちの合成対象の画像を特定するための第１の画像と、ユーザが情報を付加するための第２の画像とを印刷装置にシートへ印刷させる印刷制御手段と；
上記印刷制御手段により印刷されたシートを読取装置が読み取って得られた読取画像を取得する取得手段と；
上記取得手段により取得された、上記第１の画像に対応する読取画像に基づき、上記複数の画像のうちの合成対象の画像を判断する判断手段と；
上記取得手段により取得された読取画像に含まれる、上記第２の画像が印刷されたシートにユーザにより付加された情報と、上記判断手段により合成対象と判断された画像とを合成して出力する出力手段と；
を有し、
上記出力手段は、上記判断手段により複数の画像が合成対象として判断されたときに、上記第２の画像が印刷されたシートにユーザにより付加された情報と、当該複数の合成対象の画像のそれぞれとを合成して、合成された複数の画像ごとに個別に出力することが可能であることを特徴とする画像処理装置。
【請求項２】
上記印刷制御手段により印刷される第１の画像は、合成対象の画像のそれぞれに対応する、ユーザにより付加される合成対象の情報を、ユーザに選択させるための選択領域を含み、
上記判断手段は、上記第１の画像が印刷されたシートに対応する読取画像に基づき、上記複数の画像のうちの合成対象の画像と、当該合成対象の画像のそれぞれに対応する、ユーザにより選択された合成対象の情報とを判断し、
上記出力手段は、上記判断手段による判断に従って、上記合成対象の画像と、当該合成対象の画像に対応する合成対象の情報とを合成することを特徴とする請求項１に記載の画像処理装置。
【請求項３】
上記印刷制御手段により印刷される上記第１の画像は、上記第２の画像が印刷された複数のシートから合成対象のシートをユーザに選択させるための選択領域を含み、上記判断手段は上記第１の画像が印刷されたシートに対応する読取画像に基づき、上記複数のシートのうちのユーザにより選択されたシートを判断し、上記出力手段は上記判断手段によりユーザにより選択されたと判断されたシートに付加された情報を合成対象の情報として、合成対象の画像と合成することを特徴とする請求項２に記載の画像処理装置。
【請求項４】
上記印刷制御手段により印刷される第１の画像は、上記第２の画像が印刷された複数のシートの上記読取装置により読み取られる順番を選択可能な選択領域を含み、
上記判断手段は、上記第１の画像が印刷されたシートに対応する読取画像に基づき、上記第２の画像が印刷された複数のシートのうちの、ユーザにより選択された順番に上記読取装置により読み取られたシートを、ユーザにより選択されたシートとして判断することを特徴とする請求項３に記載の画像処理装置。
【請求項５】
上記判断手段により、合成対象の画像に対応する合成対象の情報が選択されていないと判断された場合、上記出力手段は、当該合成対象の画像の合成を行わずに、当該合成対象の画像を出力することを特徴とする請求項２乃至請求項４のいずれか１項に記載の画像処理装置。
【請求項６】
上記出力手段は、上記合成対象の画像と上記合成対象の情報とが合成された画像を上記印刷装置に印刷させることを特徴とする請求項１乃至請求項５のいずれか１項に記載の画像処理装置。
【請求項７】
複数の画像のうちの合成対象の画像を特定するための第１の画像と、ユーザが情報を付加するための第２の画像とを印刷装置にシートへ印刷させる印刷制御工程と；
上記印刷制御工程により印刷されたシートを読取装置が読み取って得られた読取画像を取得する取得工程と；
上記取得工程により取得された、上記第１の画像に対応する読取画像に基づき、上記複数の画像のうちの合成対象の画像を判断する判断工程と；
上記取得工程により取得された読取画像に含まれる、上記第２の画像が印刷されたシートにユーザにより付加された情報と、上記判断工程により合成対象と判断された画像とを合成して出力する出力工程と；
を有し、
上記出力工程は、上記判断工程により複数の画像が合成対象として判断されたときに、上記第２の画像が印刷されたシートにユーザにより付加された情報と、当該複数の合成対象の画像のそれぞれとを合成して、合成された複数の画像ごとに個別に出力することが可能であることを特徴とする画像処理方法。
【請求項８】
請求項７に記載の画像処理方法をコンピュータに実行させるためのプログラム。
【発明の詳細な説明】
【技術分野】
【０００１】
本発明は、ユーザがシートに付加した情報と、合成対象の画像とを合成して出力する画像処理装置、画像処理方法、およびプログラムに関する。
【背景技術】
【０００２】
従来、アクセス可能な画像データに対して、画像選択領域と手書き可能な自由描画領域とを有するオーダーシートを印刷することが知られている（たとえば、特許文献１参照）。この印刷されたオーダーシートの画像選択領域の中から、１つの画像を選択し、自由描画領域に手書きまたは何かを貼り付ける等、ユーザが自由に作成することができるオーダーシートを記入する。この記入されたオーダーシートを読み取り、画像選択領域と自由描画領域とを光学的に読み取り解析する。この解析されたデータに応じて、選択された１つの画像データと、１つの自由描画領域とを合成し、出力する画像処理システムが開示されている。
【特許文献１】特開２００５−２４４７３６号公報
【発明の開示】
【発明が解決しようとする課題】
【０００３】
しかし、特許文献１記載の画像処理システムでは、自由描画領域に作成された部分を、選択された１つの画像にしか合成することができない。つまり、選択された画像と自由描画領域の画像とが１：１でしか、合成することができない。
【０００４】
たとえば、年賀状の印刷等で、Ａさんには、画像１を印刷、Ｂさんには、画像２を印刷し、合成する画像は一緒でもよいという場合を考える。その場合、２枚のオーダーシートを印刷し、１枚目のシートには画像１を選択し、自由描画領域を作成して読み込ませ、合成して印刷する。２枚目のオーダーシートには、画像２を選択し、１枚目の画像と同様の自由描画領域を使用して作成し、読み込ませ合成し、印刷する。しかし、この作業は、大変煩雑であるという問題がある。また、画像枚数が増えれば増えるほど、上記煩雑性が高くなるという問題がある。
【０００５】
本発明は、ユーザがシートに付加した情報と、複数の合成対象の画像のそれぞれとを合成して、出力することができる画像処理装置、画像処理方法、およびプログラムを提供することを目的とする。
【課題を解決するための手段】
【０００６】
本発明の画像処理装置は、複数の画像のうちの合成対象の画像を特定するための第１の画像と、ユーザが情報を付加するための第２の画像とを印刷装置にシートへ印刷させる印刷制御手段と、上記印刷制御手段により印刷されたシートを読取装置が読み取って得られた読取画像を取得する取得手段と、上記取得手段により取得された、上記第１の画像に対応する読取画像に基づき、上記複数の画像のうちの合成対象の画像を判断する判断手段と、上記取得手段により取得された読取画像に含まれる、上記第２の画像が印刷されたシートにユーザにより付加された情報と、上記判断手段により合成対象と判断された画像とを合成して出力する出力手段とを有し、上記出力手段は、上記判断手段により複数の画像が合成対象として判断されたときに、上記第２の画像が印刷されたシートにユーザにより付加された情報と、当該複数の合成対象の画像のそれぞれとを合成して、合成された複数の画像ごとに個別に出力することが可能であることを特徴とする。
【発明の効果】
【０００７】
本発明によれば、ユーザがシートに付加した情報と、複数の合成対象の画像のそれぞれとを合成して、出力することができる。
【発明を実施するための最良の形態】
【０００８】
発明を実施するための最良の形態は、次の実施例である。
【実施例１】
【０００９】
図１は、本発明の実施例１であるＭＦＰ１００の回路構成を示すブロック図である。
【００１０】
ＭＦＰ１００は、多機能周辺機器（Ｍｕｌｔｉ  Ｆｕｎｃｔｉｏｎ  Ｐｅｒｉｐｈｅｒａｌ）であり、スキャニング機能、プリンティング機能、コピー機能を併せ持つ機器である。
【００１１】
また、ＭＦＰ１００は、ＣＰＵ１と、ＲＯＭ２と、プリンタ３と、ＳＲＡＭ４と、ＤＲＡＭ５と、イメージプロセッサ６と、イメージセンサ７と、操作パネル８と、ディスプレイ９と、ＰＣ  Ｉ／Ｆ１０と、ＰＣ１１とを有する。
【００１２】
ＣＰＵ１は、ＭＦＰ１００のシステム制御部であり、ＭＦＰ１００の全体を制御する。ＲＯＭ２は、ＭＦＰ１００のシステム制御プログラムを格納する。
【００１３】
なお、ＣＰＵ１は、ＲＯＭ２に格納されている制御プログラムに基づいて、ＭＦＰ１００に関する各種の動作を実行する。このようなＣＰＵ１の制御プログラムは、ＲＯＭ２に格納されているものに限らず、フロッピー（登録商標）ディスクやＣＤ−ＲＯＭ等による外部の記憶媒体に記憶されているものでもよい。また、これを専用の読取装置によって、ＭＦＰ１００のＲＡＭ（たとえばＳＲＡＭ４）に取り込み、これをＣＰＵ１が解読し、実行するようにしてもよい。
【００１４】
プリンタ３は、入力された画像データを記録紙に印字する。ＳＲＡＭ４は、主に、ＭＦＰ１００の登録データ等を格納するものであり、ＤＲＡＭ５は、主に、画像データを格納するものである。
【００１５】
イメージプロセッサ６は、イメージセンサ７が入力した画像データに各種画像処理を施す。イメージセンサ７は、原稿上の画像を読み取る接触型読み取りセンサ等である。
【００１６】
操作パネル８は、ＭＦＰ１００の状態等を表示するディスプレイ９を有し、オペレータからの動作指示入力や、各種データ登録や、ディスプレイ９を通じて、ＭＦＰ１００の状態を確認するものである。
【００１７】
ＰＣ  Ｉ／Ｆ１０は、ＭＦＰ１００とＰＣ１１とを接続するインタフェースであり、ＰＣ１１は、これを介して、ＭＦＰ１００の各種設定データ変更や各種動作の起動要求を行うホストコンピュータである。
【００１８】
図２は、ＭＦＰ１００において、イメージセンサ７を含む画像読取部７ａの概略構成を示す断面図である。
【００１９】
画像読取部７ａは、原稿セット位置２１と、原稿検知センサ２２と、紙パス２３と、ＡＤＦ読み取り位置２４と、イメージセンサホームポジション２５と、イメージセンサ２６と、原稿台２７とを有する。また、画像読取部７ａは、原稿突き当て位置２９と、白黒基準板２１ａと、原稿台圧板２１ｂとを有する。
【００２０】
画像読取部７ａは、イメージセンサ２６を移動させて原稿を読み取るフラットベット読取部と、原稿を移動させて読み取るＡＤＦ読取部とを有する。フラットベット読取部において、白黒基準板２１ａは、イメージセンサ２６のシェーディングデータを生成するための基準板である。白黒基準板２１ａは、白色部と黒色部との２色の部分によって構成され、白色部下でイメージセンサ２６を点灯または消灯させることによって、各色のシェーディングデータを取得する。
【００２１】
原稿セット位置２１に、原稿２８をセットすると、原稿２８がセットされたことを、原稿検知センサ２２が検知する。原稿検知センサ２２が原稿を検知すると、フラットベット読み取りは行わず、ＡＤＦ読み取りを開始する。
【００２２】
イメージセンサホームポジション２５は、装置がスタンバイ状態であるときは、イメージセンサが常に待機している位置である。イメージセンサ２６によって、原稿台２７上に積載されている原稿２８を移動しながら読み取る。原稿台２７は、透明ガラスによって作られた原稿積載台である。
【００２３】
自動給紙読取部に関して、シェーディングデータは、フラットベット読取部と同様に取得する。
【００２４】
イメージセンサ２６が、ＡＤＦ読み取り位置２４に移動し、原稿を移動させながら紙パス２３に排出することによって、ＡＤＦ読み取り位置２４上を原稿が通過した際に原稿を読み取る。
【００２５】
原稿突き当て位置２９は、原稿台２７上に正しく原稿を積載するための基準となる原稿２８の先端を配置するための基準となる突き当て位置である。
【００２６】
圧板２１ｂは、原稿読取時に外光が入らないようにする蓋である。その内側は、白色シートで作られている。
【００２７】
ＡＤＦ読み取りが終了したら、イメージセンサ２６は、イメージセンサホームポジション２５に戻り、スタンバイ状態になる。
【００２８】
図３は、ＭＦＰ１００で手書き合成シート出力指示があった場合に出力されるフォトナビシート３０の一例を示す模式図である。
【００２９】
図６、図７、図８、図９は、上記実施例の動作を示すフローチャートである。
【００３０】
フォトナビシート３０のレイアウトは、ＲＯＭ２に記憶されているフォーマットに定義され、フォーマットにアクセス可能な画像データと合わせ込んで出力される。
【００３１】
フォトナビシート３０は、図６のステップＳ２で、手書き合成が指示されると、図３に示すように、印刷する用紙のサイズ、種類、オプション（日付印刷・自動写真補正・顔明るく補正・赤目補正）の選択をマークするためのチェックボックス３１を備えている。アクセス可能な画像データに格納されているサムネイル画像３２を表示している。
【００３２】
ステップＳ３で、印刷するか否か、印刷するなら画像を何枚印刷するかを選択し、マークするチェックボックス３３を備える。チェックボックス３３で、画像出力枚数が、３枚までに限定されているが、枚数に関してはこの限りではなく、何枚でもよい。また、マーク方式で枚数を選択させる方法は、７セグメントを使用して枚数を書かせ、入力させる方法等、枚数指定手段もマークである必要はない。
【００３３】
フォトナビシート３０は、手書き合成シートを読み込んで画像を合成させるか否か、画像を合成させる場合、何枚目の手書き合成シートの画像を合成させるのかを選択するチェックボックス３４を備える印刷用紙の給紙口（前面給紙か背面給紙）を選択させる。また、シートを読取らせる方法が記載されている領域３５、シートの種類がフォトナビシート３０であるのか、何枚目のフォトナビシート３０であるのか等の情報をもったマーク３６で構成されている。
【００３４】
図４は、ＭＦＰ１００でフォトナビシート３０または手書き合成シート出力指示があった場合に出力される手書き合成シート４０の一例を示す模式図である。
【００３５】
手書き合成シート４０のレイアウトは、ＲＯＭ２に記憶されているフォーマットに定義されている。手書き合成シート４０は、何枚目の手書き合成シート４０であるのか、シート番号を表示する領域４１、ユーザが自由にメッセージを書き込むことができる自由描画領域４２を有する。また、手書き合成シート４０は、手書き合成シート４０の何枚目であるのか、シートの種類が手書き合成シート４０であるのかを示す情報をもつマーク４３を有する。
【００３６】
図５は、ＭＦＰ１００の操作パネル８の構成を示す図である。
【００３７】
操作パネル８は、電源キー５１と、メモリ使用表示ＬＥＤ５２と、エラー表示ＬＥＤ５３と、モード切替キー５４と、給紙方法表示ＬＥＤ５５と、ストップキー５６と、カラースタートキーまたはモノクロスタートキー５７とを有する。また、操作パネル８は、トリミング設定キー５８と、コピー倍率設定キー５９と、ＯＫキー６０と、ディスプレイ６１とを有する。
【００３８】
電源キー５１によって、本装置の電源のＯＮ／ＯＦＦを行う。
【００３９】
メモリ使用表示ＬＥＤ５２が点滅しているときは、ＭＦＰ１００がメモリを使用していることを意味している。エラー表示ＬＥＤ５３が点滅していれば、ＭＦＰ１００がエラー状態であることを意味する。
【００４０】
モード切替キー５４は、ＭＦＰ１００のスタンバイ状態を、コピーモードまたはスキャナモード等、モードを切り替えるキーである。
【００４１】
給紙方法表示ＬＥＤ５５は、前面給紙側が点灯していれば、前面から給紙することを意味し、背面給紙側が点灯していれば、背面から給紙することを意味する。
【００４２】
ストップキー５６は、ＭＦＰ１００の動作を停止させるキーである。カラースタートキーまたはモノクロスタートキー５７は、ＭＦＰ１００の動作を開始させるキーである。
【００４３】
フォトナビシート、日付設定、トリミング設定キー５８によって、ＭＦＰ１００のフォトナビシート３０の機能や日付設定機能等を使用することができる。
【００４４】
コピー画質、コピー濃度調整、記録紙サイズ、コピー倍率設定キー５９によって、ＭＦＰ１００のコピー画質等の切り替えを行うことができる。ＯＫキー６０によって、ＭＦＰ１００の各種設定項目の設定を決定する。ディスプレイ６１上に、ＭＦＰ１００の状態や設定項目を表示させることができる。
【００４５】
操作パネル８によって、手書き合成が指示されると、アクセス可能な画像データとＲＯＭ２に記憶されたフォーマットとを読み込み、シートに出力させたい画像をユーザが選択（たとえば、日付やファイル番号等）する。そして、ステップＳ６で、第１出力手段によって、図３に示すようなフォトナビシート３０を印刷する。
【００４６】
次に、手書き合成シート４０は、ステップＳ５で、何枚の手書きシートが必要であるのかを入力させ、その入力された枚数を、ステップＳ６で、第２出力手段が出力する。第１出力手段が出力したフォトナビシート３０と、第２出力手段が出力した手書きシートとに、必要事項をユーザが記入する。
【００４７】
まず、ステップＳ７で、フォトナビシート３０は、印刷条件等の選択領域３１に、印刷用紙の種類、フチあり・フチなし、赤目補正するかどうか、自動写真補正するかどうか、顔明るく補正するかどうか、日付印刷するかどうかを選択する。
【００４８】
次に、アクセス可能な画像のサムネイル画像が表示されている領域３２から、印刷する画像を選択し、印刷する画像枚数の選択領域３３に、印刷枚数を選択させる。チェックボックス３３では、印刷枚数を１枚〜３枚までの範囲で選択することができる。
【００４９】
手書き合成するかどうか、手書き合成するなら何枚目の手書き合成シート４０を使用するのかを選択させる領域３４に、手書き合成したい場合に何枚目の手書き合成シート４０の画像を合成するかを選択させる。
【００５０】
実施例１では、画像印刷枚数の選択や、手書き合成シート４０の枚数は、１〜３枚であるが、枚数に関してはこの限りではない。
【００５１】
図１１は、手書き合成シート上に配置する選択番号例を示す図である。
【００５２】
たとえば、図１１に示すように、選択番号を増加させ、選択枚数を増やすようにしてもよく、この逆に減らすようにしてもよい。給紙方法（前面給紙・背面給紙）や、このフォトナビシート３０をもう１枚印刷するかどうかを選択させる領域３５に、給紙方法を前面から印刷するか、背面から印刷するかを選択させ、このナビシートをもう１枚印刷するかどうかを選択させる。
【００５３】
次に、手書きナビシート（自由描画領域）の記入を行う。ユーザは、ステップＳ９で、手書きナビシート４０の部分４２に合成したい画像（手書き文字や雑誌の切り抜き等）を作成する。上記作成作業を、出力された手書き合成シート４０の枚数分、実行する。
【００５４】
フォトナビシート３０と手書きナビシート４０との必要事項の記入が終了したら、フラットベッド用原稿台２７または、ＡＤＦ原稿セット位置２１に、原稿２８をセットし、シート３０を読み取る。原稿のセット方法は、ＡＤＦの場合フォトナビシート３０が上にあり、フォトナビシート３０が複数枚ある場合、複数枚のフォトナビシート３０の下に、手書き合成シート４０を置く。フラットベッドの場合、フォトナビシート３０を載せる。
【００５５】
ステップＳ１０で、ＡＤＦ原稿セット位置２１にシートセットされると、原稿２８がセットされたことを、原稿検知センサ２２が検知し、カラースタートキーまたはモノクロスタートキー５７を押下することによって、読み取りを開始する。
【００５６】
ステップＳ１１、Ｓ１２で、原稿がセットされたことを、原稿検知センサ２２が検知しなければ、フラットベッドに置かれている原稿を読み取る。まず、フォトナビシート３０を連続して読み取り、光学的にマークを認識させ、ステップＳ１３で、１枚ずつ読み取りデータを解析する。ステップＳ１４で、最初にフォトナビシート３０を読み取っているかどうかを判断する。
【００５７】
ステップＳ１５で、フォトナビシート３０を読み取っていなければ、ステップＳ２１で、エラー終了する。ステップＳ１６で、フォトナビシート３０に表示されているアクセス可能な画像データ３２の中で、画像を何枚印刷するかを選択し、マークするチェックボックス３３に、チェックされているかどうかを、画像毎に検索する。
【００５８】
検索した結果、チェックボックス３３にチェックがなければ、ステップＳ２１で、エラー終了する。チェックボックス３３に、どれか画像１枚でもチェックが入っていれば、ステップＳ１７で、読み取ったデータ（印刷用紙の種類や各種補正や印刷枚数等）を保存する。
【００５９】
ステップＳ１８で、次のページがあるかどうかを判断し、ＡＤＦの場合、原稿検知センサ２２によって原稿がセットされたことが、検知されれば、次のページを読み取る。
【００６０】
図１０は、フラットベッドで読み取ったときに次ページがあるかどうかを選択させる画面を示す図である。
【００６１】
フラットベッドの場合、図１０に示すように、ステップＳ１８で、ディスプレイ６１上で次のページがあるかどうかを選択させ、次ページがあるが選択された場合、次ページを読み取る。
【００６２】
また、次ページがあるかどうかの判断は、たとえばバーコード３６のような情報を持った領域で、フォトナビシート３０の何枚目であるのか、最後のシートであることを示す情報を持っていれば、そのマークを検索することによって、判断することができる。
【００６３】
フォトナビシート３０で読み取ったデータの中で、ステップＳ１９またはＳ３１で、画像毎の手書き合成をする選択領域にマークがあったにも関わらず、手書き合成シート４０の読み込みが行われなければ、ステップＳ２１で、エラー終了とする。
【００６４】
また、ステップＳ２０で、画像毎の手書き合成をする選択領域にマークがなければ、画像印刷枚数選択領域で選択された枚数分の画像を、印刷条件に合わせて印刷する。ステップＳ３２、３３で読み取ったデータが、フォトナビシート３０であれば、上記検索を行い、フォトナビシート３０でなければ、手書き合成シート４０を読み込んだかどうかを判断する。
【００６５】
手書き合成シート４０でなければ、ステップＳ３７で、エラー終了する。ステップＳ３４、Ｓ３５で、手書き合成シート４０であると判断すれば、読み取った内容を、ステップＳ３６で一時保存する。ステップＳ３８で、次のページがあるかどうかを判断し、ＡＤＦである場合、原稿がセットされたことを、原稿検知センサ２２が検知していれば、次のページを読み取る。フラットベッドの場合、ディスプレイ６１上で、次のページがあるかどうかを選択させ、次ページあるが選択された場合、次ページを読み取る。
【００６６】
次ページを読み取ったら、上記と同様の検索を行う。最終的に読み取るページがなければ、ステップＳ４５で、フォトナビシート３０で読み取って一時保存していたデータと、手書き合成シート４０で読み取ったデータとを合成する。ステップＳ４１で、フォトナビシート３０を読み取ったデータの中に、手書き合成する選択領域にマークがないと判断すれば、ステップＳ４６で、エラー終了する。手書き合成するかどうかの選択領域にマークがあり、どのシートと合成するか刷り合わせを行う。
【００６７】
たとえば、アクセス可能な画像ＡとＣとＲとでは、ステップＳ４２で第１の手書き合成シートの画像と合成する指示があり、画像ＢとＥとＭでは、ステップＳ４３で第２の手書き合成シートの画像と合成する指示があった場合を考える。この場合、ステップＳ４５で、それぞれの画像でアクセス可能な画像データと手書き合成シート４０に描かれているデータとを合成し、出力する。
【００６８】
上記実施例によれば、アクセス可能な複数枚の画像に、手書き合成シート４０に描画されている画像を容易に合成することができる。
【００６９】
たとえば、Ａさんには、画像Ｚと１番の合成画像とを合成し、印刷し、Ｂさんには、画像Ｙと１番の合成画像とを合成し、印刷し、Ｃさんには、画像Ｘと２番の合成画像とを合成して印刷し、この合成、印刷作業が容易である。
【図面の簡単な説明】
【００７０】
【図１】本発明の実施例１であるＭＦＰ１００の回路構成を示すブロック図である。
【図２】ＭＦＰ１００において、イメージセンサ７を含む画像読取部７ａの概略構成を示す断面図である。
【図３】ＭＦＰ１００で手書き合成シート出力指示があった場合に出力されるフォトナビシート３０の一例を示す模式図である。
【図４】ＭＦＰ１００でフォトナビシート３０または手書き合成シート出力指示があった場合に出力される手書き合成シート４０の一例を示す模式図である。
【図５】ＭＦＰ１００の操作パネル８の構成を示す図である。
【図６】上記実施例の動作を示すフローチャートである。
【図７】上記実施例の動作を示すフローチャートである。
【図８】上記実施例の動作を示すフローチャートである。
【図９】上記実施例の動作を示すフローチャートである。
【図１０】次ページがあるかどうかを選択させる画面を示す図である。
【図１１】手書き合成シート上に配置する選択番号例を示す図である。
【符号の説明】
【００７１】
１００…ＭＦＰ、
１…ＣＰＵ、
２…ＲＯＭ、
３…プリンタ、
４…ＳＲＡＭ、
５…ＤＲＡＭ、
６…イメージプロセッサ、
７…イメージセンサ、
８…操作パネル、
９…ディスプレイ、
１０…ＰＣ  Ｉ／Ｆ、
１１…ＰＣ、
３０…フォトナビシート、
４０…手書き合成シート。
【図１】
0004785639.tif 000002
【図２】
0004785639.tif 000003
【図３】
0004785639.tif 000004
【図４】
0004785639.tif 000005
【図５】
0004785639.tif 000006
【図６】
0004785639.tif 000007
【図７】
0004785639.tif 000008
【図８】
0004785639.tif 000009
【図９】
0004785639.tif 000010
【図１０】
0004785639.tif 000011
【図１１】
0004785639.tif 000012